(57)【要約】【課題】レール部の上端部に付着した水垢を除去することができつつも、障子の摺動性が低下することを抑制できる建具、障子、及び建具の組み立て方法を提供する。【解決手段】開口部を有する枠体と、枠体に対して摺動可能に取り付けられ開口部を開閉させる障子と、を備え、枠体の下枠は、障子よりも下方に位置する基部と、基部の上面から上方へ突出し左右方向に延びるレール部と、を有し、障子は、障子本体と、障子本体の下部に接続されレール部の上端部に当接した状態で障子本体とともにレール部に沿って左右方向に摺動可能な当接摺動部材と、を有し、当接摺動部材は、障子が摺動している状態において、障子本体の荷重が当接摺動部材に掛からないように設けられていることを特徴とする建具。【選択図】図２
2019218690.tif 000002
【特許請求の範囲】
【請求項１】
浴室と脱衣室との間に設置される建具であって、
前記浴室と前記脱衣室とを連通させる開口部を有する枠体と、
前記枠体に対して摺動可能に取り付けられ、前記開口部を開閉させる障子と、
を備え、
前記枠体の下枠は、
前記障子よりも下方に位置する基部と、
前記基部の上面から上方へ突出し左右方向に延びるレール部と、
を有し、
前記障子は、
障子本体と、
前記障子本体の下部に接続され、前記レール部の上端部に当接した状態で前記障子本体とともに前記レール部に沿って左右方向に摺動可能な当接摺動部材と、
を有し、
前記当接摺動部材は、前記障子が摺動している状態において、前記障子本体の荷重が前記当接摺動部材に掛からないように設けられていることを特徴とする建具。
【請求項２】
前記障子は、前記障子本体の下部に設けられ、前記レール部の上を前記レール部に沿って回転することで、前記障子本体を前記レール部に沿って摺動可能とする戸車をさらに有することを特徴とする請求項１記載の建具。
【請求項３】
前記当接摺動部材は、前記障子本体に対して、上下方向に移動可能に接続されていることを特徴とする請求項１または２に記載の建具。
【請求項４】
前記当接摺動部材は、前記レール部の前記上端部に当接する当接部を有し、
前記当接部は、前記下枠と対向する面において、上方に向かって窪み左右方向に延びる溝部を有し、
前記溝部は、左右方向の中央部から左右方向の両端部に向かって上方に傾斜する傾斜面を有することを特徴とする請求項１〜３のいずれか１つに記載の建具。
【請求項５】
前記当接摺動部材は、
前記当接部の左右方向の中央領域から上方に延びるように設けられ、前記障子本体と接続される接続部と、
前記当接部の前記中央領域を挟む左右方向の両端領域から上方に延びるように設けられ、それぞれの重量が前記接続部の重量よりも大きくなるように形成された複数の荷重部と、
をさらに有することを特徴とする請求項４記載の建具。
【請求項６】
障子よりも下方に位置する基部の上面から上方へ突出し左右方向に延びるレール部に対して摺動可能に取り付けられる障子であって、
障子本体と、
前記障子本体の下部に接続され、前記レール部の上端部に当接した状態で前記障子本体とともに前記レール部に沿って左右方向に摺動可能な当接摺動部材と、
を有し、
前記当接摺動部材は、前記障子が摺動している状態において、前記障子本体の荷重が前記当接摺動部材に掛からないように設けられていることを特徴とする障子。
【請求項７】
浴室と脱衣室との間に設置される建具の組み立て方法であって、
前記浴室と前記脱衣室との間に、前記浴室と前記脱衣室とを連通させる開口部を有する枠体を設ける工程と、
前記枠体に対して、前記開口部を開閉させる障子を摺動可能に取り付ける工程と、
を備え、
前記枠体の下枠は、
前記障子よりも下方に位置する基部と、
前記基部の上面から上方へ突出し左右方向に延びるレール部と、
を有し、
前記障子は、
障子本体と、
前記障子本体の下部に接続され、前記レール部の上端部に当接した状態で前記障子本体とともに前記レール部に沿って左右方向に摺動可能な当接摺動部材と、
を有し、
前記当接摺動部材は、前記障子が摺動している状態において、前記障子本体の荷重が前記当接摺動部材に掛からないように設けられていることを特徴とする建具の組み立て方法。
【発明の詳細な説明】
【技術分野】
【０００１】
本発明の態様は、一般的に、建具、障子、及び建具の組み立て方法に関する。
【背景技術】
【０００２】
浴室内への入口となる開口に引き戸タイプの障子が設けられた浴室が知られている（特許文献１）。このような引き戸タイプの障子は、開口を形成する枠体に設けられたレール部に嵌った状態で動かされることで、枠体から外れることなく摺動できる。
【０００３】
このような浴室の開口にあるレール部は、高頻度に水滴が付着する部位である。このように、レール部に水滴が頻繁に付着すると、レール部の上端部に水垢が発生してしまい、見栄えが低下してしまう恐れがある。
【先行技術文献】
【特許文献】
【０００４】
【特許文献１】特開平１０−７７７６９号公報
【発明の概要】
【発明が解決しようとする課題】
【０００５】
そこで、出願人は、障子を摺動させた際にレール部の上端部に当接した状態で摺動する部分を設け、この部分に障子の荷重が掛かるようにすることで、障子を摺動させた際にレール部の上端部に付着した水垢をこそぎ落とすことを考え付いた。
【０００６】
しかしながら、このような構成であると、レール部の上端部に障子の荷重が掛かった状態で障子を摺動させることになるため、レール部と障子との間に大きな摩擦力が発生してしまい、障子の摺動性、すなわち開閉のしやすさが低下してしまう。
【０００７】
本発明は、かかる課題の認識に基づいてなされたものであり、レール部の上端部に付着した水垢を除去することができつつも、障子の摺動性が低下することを抑制できる建具、障子、及び建具の組み立て方法を提供することを目的とする。
【課題を解決するための手段】
【０００８】
第１の発明は、浴室と脱衣室との間に設置される建具であって、前記浴室と前記脱衣室とを連通させる開口部を有する枠体と、前記枠体に対して摺動可能に取り付けられ、前記開口部を開閉させる障子と、を備え、前記枠体の下枠は、前記障子よりも下方に位置する基部と、前記基部の上面から上方へ突出し左右方向に延びるレール部と、を有し、前記障子は、障子本体と、前記障子本体の下部に接続され、前記レール部の上端部に当接した状態で前記障子本体とともに前記レール部に沿って左右方向に摺動可能な当接摺動部材と、を有し、前記当接摺動部材は、前記障子が摺動している状態において、前記障子本体の荷重が前記当接摺動部材に掛からないように設けられていることを特徴とする建具である。
【０００９】
この建具によれば、当接摺動部材をレール部の上端部に当接させた状態で障子本体とともにレール部に沿って左右方向に摺動させることで、レール部の上端部に付着した水垢を除去することができる。また、当接摺動部材は、障子が摺動している状態において、障子本体の荷重が当接摺動部材に掛からないように設けられているため、障子を摺動させる際に当接摺動部材が必要以上にレール部の上端部に押し付けられ、障子の摺動性が低下することを抑制できる。これにより、障子の摺動性が低下することを抑制しつつも、当接摺動部材をレール部の上端部に当接させた状態で摺動させることでレール部の上端部に付着した水垢を除去することができる。
【００１０】
第２の発明は、第１の発明において、前記障子は、前記障子本体の下部に設けられ、前記レール部の上を前記レール部に沿って回転することで、前記障子本体を前記レール部に沿って摺動可能とする戸車をさらに有することを特徴とする建具である。
【００１１】
この建具によれば、回転可能な戸車によって障子本体の摺動性は確保しつつ、当接摺動部材に障子本体の荷重が掛からない状態で、当接摺動部材をレール部に対して当接させた状態で摺動させることができる。これにより、障子の摺動性が低下することをより確実に抑制しつつも、当接摺動部材をレール部の上端部に当接させた状態で摺動させることでレール部の上端部に付着した水垢を除去することができる。
【００１２】
第３の発明は、第１または第２の発明において、前記当接摺動部材は、前記障子本体に対して、上下方向に移動可能に接続されていることを特徴とする建具である。
【００１３】
この建具によれば、当接摺動部材は自重によってレール部の上端部と当接した状態となるため、レール部や障子本体などに製造公差が生じた場合であっても、当接摺動部材とレール部の上端部とをしっかりと当接させた状態にすることができる。これにより、障子の摺動性が低下することをより確実に抑制しつつも、当接摺動部材をレール部の上端部に当接させた状態で摺動させることでレール部の上端部に付着した水垢を除去することができる。
【００１４】
第４の発明は、第１〜第３のいずれか１つの発明において、前記当接摺動部材は、前記レール部の前記上端部に当接する当接部を有し、前記当接部は、前記下枠と対向する面において、上方に向かって窪み左右方向に延びる溝部を有し、前記溝部は、左右方向の中央部から左右方向の両端部に向かって上方に傾斜する傾斜面を有することを特徴とする建具である。
【００１５】
この建具によれば、溝部に中央部から左右方向の両端部に向かって上方に傾斜する傾斜面を設けることで、当接摺動部材を溝部の中央部付近でレール部の上端部に当接させることができる。これにより、当接摺動部材とレール部の上端部との接触面積を小さくして、障子の摺動性が低下することをさらに抑制できる。
【００１６】
第５の発明は、第４の発明において、前記当接摺動部材は、前記当接部の左右方向の中央領域から上方に延びるように設けられ、前記障子本体と接続される接続部と、前記当接部の前記中央領域を挟む左右方向の両端領域から上方に延びるように設けられ、それぞれの重量が前記接続部の重量よりも大きくなるように形成された複数の荷重部と、をさらに有することを特徴とする建具である。
【００１７】
この建具によれば、接続部の左右両側に設けられた荷重部によって、使用者が障子を動かす際に、当接摺動部材とレール部の上端部とをしっかりと当接させることができる。これにより、より確実にレール部の上端部に付着した水垢を除去できる。
【００１８】
第６の発明は、障子よりも下方に位置する基部の上面から上方へ突出し左右方向に延びるレール部に対して摺動可能に取り付けられる障子であって、障子本体と、前記障子本体の下部に接続され、前記レール部の上端部に当接した状態で前記障子本体とともに前記レール部に沿って左右方向に摺動可能な当接摺動部材と、を有し、前記当接摺動部材は、前記障子が摺動している状態において、前記障子本体の荷重が前記当接摺動部材に掛からないように設けられていることを特徴とする障子である。
【００１９】
この障子によれば、障子の摺動性が低下することを抑制しつつも、当接摺動部材をレール部の上端部に当接させた状態で摺動させることができ、レール部の上端部に付着した水垢を除去できる。
【００２０】
第７の発明は、浴室と脱衣室との間に設置される建具の組み立て方法であって、前記浴室と前記脱衣室との間に、前記浴室と前記脱衣室とを連通させる開口部を有する枠体を設ける工程と、前記枠体に対して、前記開口部を開閉させる障子を摺動可能に取り付ける工程と、を備え、前記枠体の下枠は、前記障子よりも下方に位置する基部と、前記基部の上面から上方へ突出し左右方向に延びるレール部と、を有し、前記障子は、障子本体と、前記障子本体の下部に接続され、前記レール部の上端部に当接した状態で前記障子本体とともに前記レール部に沿って左右方向に摺動可能な当接摺動部材と、を有し、前記当接摺動部材は、前記障子が摺動している状態において、前記障子本体の荷重が前記当接摺動部材に掛からないように設けられていることを特徴とする建具の組み立て方法である。
【００２１】
この建具の組み立て方法によれば、障子の摺動性が低下することを抑制しつつも、当接摺動部材をレール部の上端部に当接させた状態で摺動させることができ、レール部の上端部に付着した水垢を除去できる建具を容易に組み立てることができる。
【発明の効果】
【００２２】
本発明の態様によれば、レール部の上端部に付着した水垢を除去することができつつも、障子の摺動性が低下することを抑制できる建具、障子、及び建具の組み立て方法を提供することができる。
【図面の簡単な説明】
【００２３】
【図１】実施形態に係る建具を模式的に表す正面図である。
【図２】実施形態に係る建具の一部を拡大して模式的に表す正面図である。
【図３】図３（ａ）及び図３（ｂ）は、実施形態に係る建具の一部を拡大して模式的に表す断面図である。
【図４】図４（ａ）及び図４（ｂ）は、実施形態に係る建具の一部を拡大して模式的に表す正面図である。
【図５】実施形態に係る建具の当接摺動部材を模式的に表す正面図である。
【図６】図６（ａ）〜図６（ｃ）は、実施形態に係る建具の当接摺動部材を模式的に表す断面図である。
【図７】実施形態に係る建具の一部を拡大して模式的に表す断面図である。
【発明を実施するための形態】
【００２４】
以下、本発明の実施の形態について図面を参照しつつ説明する。なお、各図面中、同様の構成要素には同一の符号を付して詳細な説明は適宜省略する。
【００２５】
図１は、実施形態に係る建具を模式的に表す正面図である。  
図２は、実施形態に係る建具の一部を拡大して模式的に表す正面図である。  
図３（ａ）及び図３（ｂ）は、実施形態に係る建具の一部を拡大して模式的に表す断面図である。  
図２は、図１に示す領域Ｒを拡大して示す。  
図３（ａ）は、図２に示すＡ−Ａ線による断面図である。  
図３（ｂ）は、図２に示すＢ−Ｂ線による断面図である。  
図１に表したように、建具１０は、枠体２０と、障子３０と、を備える。建具１０は、浴室と脱衣室との間に設置して使用される浴室用の建具である。
【００２６】
枠体２０は、浴室と脱衣室とを連通させる開口部２１を有する。開口部２１は、例えば、略矩形状である。枠体２０は、例えば、略矩形の枠状である。
【００２７】
枠体２０は、枠体２０の上部を構成する上枠２０ａ、枠体２０の下部を構成する下枠２０ｂ、及び枠体２０の左右方向の側部を構成する縦枠２０ｃ、２０ｄを有する。上枠２０ａ及び下枠２０ｂは、左右方向に延びている。縦枠２０ｃ及び２０ｄは、上下方向に延びている。縦枠２０ｃは、上枠２０ａの左側の端部と下枠２０ｂの左側の端部とを接続している。縦枠２０ｄは、上枠２０ａの右側の端部と下枠２０ｂの右側の端部とを接続している。
【００２８】
なお、本願明細書では、脱衣室側で障子３０と向き合う使用者からみて手前側（脱衣室側）を「前方」とし、奥側（浴室側）を「後方」とし、上側を「上方」とし、下側を「下方」とし、右側を「右側方」とし、左側を「左側方」とする。
【００２９】
枠体２０の下枠２０ｂは、基部２２と、レール部２３と、を有する。基部２２は、障子３０よりも下方に位置する。基部２２は、例えば、下枠２０ｂの左右方向の全体に設けられる。レール部２３は、基部２２の上面から上方へ突出し、基部２２に沿って左右方向に延びる。レール部２３は、障子３０の下部に設けられた溝部（後述の戸車に設けられた溝部及び当接摺動部材に設けられた溝部）が嵌るように設けられる。障子３０の下部に設けられた溝部は、レール部２３の上端部２３ａに当接する。レール部２３は、障子３０が左右方向に摺動する際のガイドとして機能する。
【００３０】
図３（ａ）及び図３（ｂ）に表したように、この例では、レール部２３は、基部２２の上面から上方に延びる上延部２３１と、上延部２３１の上端部２３１ａから後方へ延びる後延部２３２と、を有する。上延部２３１は、例えば、基部２２に対し略垂直に延びる。後延部２３２は、例えば、上延部２３１に対し略垂直に延びる。換言すれば、レール部２３の断面形状は、略Ｌ字状である。上延部２３１の上下方向の長さは、例えば、後延部２３２の前後方向の長さよりも長い。この例では、レール部２３の上端部２３ａは、上延部２３１の上端部２３１ａ及び後延部２３２の上端部２３２ａにより構成されている。
【００３１】
レール部２３の断面形状は、これに限定されず、上延部２３１を有し後延部２３２を有しない略Ｉ字状であってもよいし、上延部２３１及び後延部２３２に加えて上延部２３１の上端部２３１ａから前方へ延びる前延部を有する略Ｔ字状であってもよい。また、レール部２３の断面形状は、上延部２３１と前延部とを有する略Ｌ字状であってもよい。なお、前延部の前後方向の長さは、例えば、後延部２３２の前後方向の長さと同程度である。
【００３２】
障子３０は、枠体２０の開口部２１を開閉させる引き戸である。障子３０は、枠体２０の開口部２１の内側に取り付けられる。より具体的には、障子３０は、上枠２０ａと下枠２０ｂとの間、及び、縦枠２０ｃと縦枠２０ｄとの間に取り付けられる。障子３０は、左右方向に延びる上枠２０ａ及び下枠２０ｂ（レール部２３）に沿って摺動可能である。使用者は、障子３０を左右方向に摺動させることで、開口部２１を開閉させることができる。
【００３３】
障子３０は、障子本体３１と、操作部３２と、戸車３３と、当接摺動部材３４と、を有する。
【００３４】
障子本体３１は、略矩形の平板状である。障子３０を閉じた状態において、障子本体３１は、開口部２１を塞ぐ。この例では、２つの障子本体３１が設けられている。障子本体３１の上下方向の長さは、例えば、開口部２１の上下方向の長さと同程度であるか、開口部２１の上下方向の長さよりもわずかに長い。１つの障子本体３１の左右方向の長さは、例えば、開口部２１の左右方向の長さの半分程度であるか、開口部２１の左右方向の長さの半分よりもわずかに長い。
【００３５】
また、障子本体３１のそれぞれは、左右方向において重ならない位置に設けられる。換言すれば、障子本体３１のそれぞれは、前後方向において異なる位置に設けられる。下枠２０ｂには、障子本体３１と同じ数のレール部２３が、前後方向において並ぶように設けられる。この例では、２つのレール部２３が、前後方向において並ぶように設けられている。
【００３６】
なお、この例では、２つの障子本体３１が設けられているが、設けられる障子本体３１の数は、これに限定されない。実施形態においては、例えば、１つの障子本体３１が設けられてもよいし、３つ以上の障子本体３１が設けられてもよい。１つの障子本体３１が設けられる場合、障子本体３１の左右方向の長さは、例えば、開口部２１の左右方向の長さと同程度であるか、開口部２１の左右方向の長さよりもわずかに長い。３つの障子本体３１が設けられる場合、１つの障子本体３１の左右方向の長さは、例えば、開口部２１の左右方向の長さの１／３程度であるか、開口部２１の左右方向の長さの１／３よりもわずかに長い。
【００３７】
なお、枠体２０の上枠２０ａは、例えば、基部（図示せず）と、基部の下面から下方へ突出し、基部に沿って左右方向に延びるレール部（図示せず）と、を有する。また、障子本体３１の上部３１ａの上枠２０ａと対向する面には、例えば、下方に向かって窪む溝部（図示せず）が設けられている。障子本体３１は、上枠２０ａのレール部が障子本体３１の上部３１ａに設けられた溝部に嵌った状態で、レール部２３に沿って左右方向に移動する。
【００３８】
操作部３２は、使用者の手によって障子３０を摺動させるための操作部である。操作部３２は、例えば、取っ手である。操作部３２は、例えば、障子本体３１の左右方向の中央ＣＬよりも一方側に設けられる。換言すれば、操作部３２は、障子本体３１の左右方向の中央ＣＬよりも左側または右側に設けられる。この例では、操作部３２は、開口部２１の左側に設けられた障子本体３１の左側の端部に設けられている。
【００３９】
例えば、図１のように障子３０が閉じた状態において、操作部３２に右方向の力をかけることで、障子本体３１を右方向に移動させ、開口部２１を開くことができる。一方、例えば、障子３０が開いた状態において、操作部３２に左方向の力をかけることで、障子本体３１を左方向に移動させ、開口部２１を閉じることができる。
【００４０】
また、図１では、障子本体３１の前方側（脱衣室側）の面に設けられた操作部３２を示しているが、例えば、操作部３２は、障子本体３１の後方側（浴室側）の面にも設けられる。浴室側の操作部３２は、例えば、脱衣室側の操作部３２の裏側に設けられる。換言すれば、浴室側の操作部３２は、例えば、脱衣室側の操作部３２と前後方向において重なる位置に設けられる。
【００４１】
戸車３３は、障子本体３１の下部３１ｂに設けられる。この例では、戸車３３は、障子本体３１の下部３１ｂの下枠２０ｂと対向する面において、左右方向の両端部に１つずつ設けられている。戸車３３は、例えば、正面視において、時計回り及び反時計回りに回転可能に設けられる。
【００４２】
図２及び図３（ａ）に表したように、戸車３３は、例えば、軸部３３１と、車輪部３３２と、を有する。車輪部３３２は、軸部３３１を中心にして回転可能である。車輪部３３２の踏面には、例えば、軸部３３１に向かって窪んだ溝部３３３が設けられる。
【００４３】
戸車３３は、障子３０を枠体２０に取り付けた際に、障子本体３１と下枠２０ｂのレール部２３との間に位置する。レール部２３が戸車３３の溝部３３３に嵌った状態で戸車３３の車輪部３３２が回転することで、障子本体３１はレール部２３に沿って左右方向に移動する。換言すれば、戸車３３は、レール部２３の上をレール部２３に沿って回転することで、障子本体３１をレール部２３に沿って移動可能とする。
【００４４】
このように、回転可能な戸車３３を設けることで、障子本体３１の摺動性は確保しつつ、当接摺動部材３４に障子本体３１の荷重が掛からない状態で、当接摺動部材３４をレール部２３に対して当接させた状態で摺動させることができる。これにより、障子３０の摺動性が低下することをより確実に抑制しつつも、当接摺動部材３４をレール部２３の上端部２３ａに当接させた状態で摺動させることでレール部２３の上端部２３ａに付着した水垢を除去することができる。
【００４５】
なお、２つ以上の障子本体３１が設けられる場合には、例えば、１つの障子本体３１につき、２つの戸車３３が設けられる。また、１つの障子本体３１に設けられる戸車３３の数は２つに限定されず、１つでもよいし、３つ以上でもよい。
【００４６】
当接摺動部材３４は、障子本体３１の下部３１ｂに接続される。図２及び図３（ｂ）に表したように、当接摺動部材３４は、下枠２０ｂのレール部２３の上端部２３ａに当接した状態で、障子本体３１とともにレール部２３に沿って左右方向に摺動可能である。このように、当接摺動部材３４をレール部２３の上端部２３ａに当接させた状態で摺動させることで、レール部２３の上端部２３ａに付着した水垢を除去することができる。当接摺動部材３４の構造については、後述する。
【００４７】
図４（ａ）及び図４（ｂ）は、実施形態に係る建具の一部を拡大して模式的に表す正面図である。  
図４（ａ）は、障子本体３１が下がっている状態を示している。  
図４（ｂ）は、障子本体３１が上がっている状態を示している。
【００４８】
実施形態において、当接摺動部材３４は、障子３０が摺動している状態において、障子本体３１の荷重が当接摺動部材３４に掛からないように設けられている。また、当接摺動部材３４は、例えば、障子３０が止まっている状態において、障子本体３１の荷重が当接摺動部材３４に掛からないように設けられている。例えば、図４（ｂ）のように障子本体３１が上がっている状態だけでなく、図４（ａ）のように障子本体３１が下がっている状態においても、障子本体３１の下部３１ｂが当接摺動部材３４の上に載らないようにすることで、障子本体３１の荷重が当接摺動部材３４に掛からないようにすることができる。
【００４９】
このように、実施形態においては、障子３０が摺動している状態において、当接摺動部材３４に障子本体３１の荷重が掛からないようにする。これにより、障子３０を摺動させる際に当接摺動部材３４が必要以上にレール部２３の上端部２３ａに押し付けられ、障子３０の摺動性が低下することを抑制できる。また、障子３０が止まっている状態においても当接摺動部材３４に障子本体３１の荷重が掛からないようにすることで、例えば、障子本体３１を持ち上げたりしなくても、障子本体３１を左右方向に摺動させるだけで、当接摺動部材３４に障子本体３１の荷重が掛からない状態で当接摺動部材３４を摺動させることができる。
【００５０】
実施形態において、当接摺動部材３４は、例えば、図１に表したように、障子本体３１の左右方向の中央ＣＬよりも左側または右側の下部に接続される。当接摺動部材３４は、例えば、左右方向において、操作部３２と同じ側の下部に接続される。この例では、当接摺動部材３４は、操作部３２が設けられている障子本体３１の左側の端部の下部に接続されている。
【００５１】
また、図１及び図２に表したように、当接摺動部材３４の左右方向の長さＬ１は、例えば、障子本体３１の左右方向の長さＬ２の半分以下である。当接摺動部材３４の左右方向の長さＬ１がこのような長さであれば、当接摺動部材３４が必要以上に長くないため、当接摺動部材３４が必要以上の範囲でレール部２３の上端部２３ａに当接することを抑制できる。これにより、障子３０の摺動性が低下することをさらに抑制できる。
【００５２】
また、障子３０が止まっている状態では、例えば、図４（ａ）に表したように、障子本体３１は下がっている。換言すれば、障子本体３１は、レール部２３に近づいている。このとき、当接摺動部材３４は、レール部２３の上端部２３ａに当接している。一方、障子３０を摺動させる際には、障子本体３１に対して上方に力が加わり、図４（ｂ）に表したように、障子本体３１が持ち上げられることがある。換言すれば、障子本体３１は、レール部２３から遠ざかる場合がある。
【００５３】
例えば、当接摺動部材３４が障子本体３１に対して固定されていると、障子本体３１が上方に持ち上げられた際に、当接摺動部材３４が障子本体３１とともに浮き上がり、レール部２３から外れてしまう。換言すれば、例えば、当接摺動部材３４が障子本体３１に対して固定されていると、障子本体３１が上方に持ち上げられた際には、レール部２３の上端部２３ａに当接した状態を維持しにくい。
【００５４】
これに対し、実施形態においては、当接摺動部材３４が障子本体３１の下部３１ｂに対して接続されているものの、固定されていない。これにより、当接摺動部材３４は、障子本体３１が上方に持ち上げられた状態においても、障子本体３１とともに浮き上がらずにレール部２３の上端部２３ａに当接した状態を維持することができる。したがって、障子３０の摺動性が低下することを抑制しつつも、当接摺動部材３４をレール部２３の上端部２３ａに当接させた状態で摺動させることでレール部２３の上端部２３ａに付着した水垢を除去することができる。
【００５５】
より具体的には、当接摺動部材３４は、例えば、障子本体３１に対して、上下方向に移動可能に接続されている。これにより、当接摺動部材３４は自重によってレール部２３の上端部２３ａと当接した状態となるため、レール部２３や障子本体３１などに製造公差が生じた場合であっても、当接摺動部材３４とレール部２３の上端部２３ａとをしっかりと当接させた状態にすることができる。したがって、障子３０の摺動性が低下することをより確実に抑制しつつも、当接摺動部材３４をレール部２３の上端部２３ａに当接させた状態で摺動させることでレール部２３の上端部２３ａに付着した水垢を除去することができる。
【００５６】
以下、当接摺動部材３４について、くわしく説明する。  
図５は、実施形態に係る建具の当接摺動部材を模式的に表す正面図である。  
図６（ａ）〜図６（ｃ）は、実施形態に係る建具の当接摺動部材を模式的に表す断面図である。  
図６（ａ）は、図５に示すＣ−Ｃ線による断面図である。  
図６（ｂ）は、図５に示すＤ−Ｄ線による断面図である。  
図６（ｃ）は、図６（ａ）に示すＥ−Ｅ線による断面図である。  
図５及び図６（ａ）〜図６（ｃ）に表したように、当接摺動部材３４は、例えば、当接部３４１と、接続部３４２と、荷重部３４３と、を有する。
【００５７】
当接部３４１は、当接摺動部材３４の下部に位置し、レール部２３の上端部２３ａに当接する。当接部３４１は、下枠２０ｂと対向する面において、上方に向かって窪み左右方向に延びる溝部３４４を有する。当接摺動部材３４は、レール部２３が当接部３４１の溝部３４４に嵌った状態で、障子本体３１とともにレール部２３に沿って摺動する。
【００５８】
図６（ｃ）に表したように、溝部３４４は、左右方向の中央部３４４ａから左右方向の両端部３４４ｂに向かって上方に傾斜する傾斜面３４５を有する。例えば、傾斜面３４５の少なくとも一部は、レール部２３の上端部２３ａに当接する。溝部３４４（傾斜面３４５）は、例えば、レール部２３の上端部２３ａの前端及び後端に当接する。傾斜面３４５は、例えば、曲面である。
【００５９】
溝部３４４に左右方向の中央部３４４ａから左右方向の両端部３４４ｂに向かって上方に傾斜する傾斜面３４５を設けることで、当接摺動部材３４を溝部３４４の中央部３４４ａ付近でレール部２３の上端部２３ａに当接させることができる。これにより、当接摺動部材３４とレール部２３の上端部２３ａとの接触面積を小さくして、障子３０の摺動性が低下することをさらに抑制できる。また、例えば、レール部２３の上端部２３ａに公差による段差などがある場合にも、段差に当接摺動部材３４が引っかかることを抑制できる。これにより、レール部２３の上端部２３ａに製造公差による段差などが発生した際にも、傾斜によって段差を乗り越えつつも、レール部２３の上端部２３ａの汚れを取り除くことができる。
【００６０】
また、この例では、溝部３４４の後方側の側面部から前方に向かって突出した係合部３４６が設けられている。係合部３４６は、溝部３４４に沿って左右方向に延びている。係合部３４６を設けることで、当接摺動部材３４が上方に持ち上げられた際に、係合部３４６がレール部２３の後延部２３２と係合し、当接摺動部材３４がレール部２３から外れることを抑制することができる。これにより、当接摺動部材３４と接続された障子本体３１がレール部２３（枠体２０）から外れることを抑制することができる。
【００６１】
なお、係合部３４６は、これに限定されず、レール部２３の形状に合わせて適宜変更可能である。例えば、レール部２３の断面形状が上延部２３１と上延部２３１の上端部２３１ａから前方へ延びる前延部とを有する略Ｌ字状である場合には、溝部３４４の前方側の側面部から後ろ方に向かって突出しレール部２３の前延部と係合する係合部３４６が設けられてもよい。また、例えば、レール部２３の断面形状が上延部２３１及び後延部２３２に加えて前延部を有する略Ｔ字状である場合には、溝部３４４の後方側の側面部から前方に向かって突出しレール部２３の後延部２３２と係合する係合部３４６と、溝部３４４の前方側の側面部から後ろ方に向かって突出しレール部２３の前延部と係合する係合部３４６と、の両方が設けられてもよい。
【００６２】
また、係合部３４６は、必要に応じて設けられ、省略可能である。例えば、レール部２３の断面形状が上延部２３１を有し後延部２３２及び前延部を有しない略Ｉ字状である場合には、係合部３４６は省略される。
【００６３】
接続部３４２は、当接部３４１の左右方向の中央領域３４１ａから上方に延びるように設けられる。接続部３４２は、障子本体３１の下部３１ｂと接続される。接続部３４２は、当接部３４１の左右方向の中央領域３４１ａから上方に延びる略円柱状の柱部３４２ａと、柱部３４２ａの上端部に設けられた第１規制部３４２ｂと、柱部３４２ａの上下方向の中央部に設けられた第２規制部３４２ｃと、柱部３４２ａに沿って上下方向に移動するように設けられたキャップ３４２ｄと、を有する。
【００６４】
障子本体３１の下部３１ｂの下枠２０ｂと対向する面には、上下方向に貫通し、キャップ３４２ｄを嵌め込むことができる孔が設けられている。キャップ３４２ｄは、この孔に嵌め込まれ、障子本体３１の下部３１ｂに固定される。キャップ３４２ｄには、上下方向に貫通する孔が設けられており、柱部３４２ａは、キャップ３４２ｄの孔を上下方向に貫通するように差し込まれる。これにより、当接摺動部材３４は、障子本体３１の下部３１ｂに固定されずに、接続される。
【００６５】
キャップ３４２ｄの孔の直径は、例えば、柱部３４２ａの直径よりもわずかに大きい。これにより、キャップ３４２ｄは、柱部３４２ａに沿って上下方向に移動可能である。換言すれば、これにより、当接摺動部材３４は、障子本体３１に対して、上下方向に移動可能に接続される。一方、キャップ３４２ｄの孔の直径は、例えば、第１規制部３４２ｂの直径よりも小さい。これにより、キャップ３４２ｄが柱部３４２ａの上端部に達すると、第１規制部３４２ｂによりキャップ３４２ｄが規制される。第１規制部３４２ｂにより、柱部３４２ａがキャップ３４２ｄの孔から抜けることを抑制できる。
【００６６】
また、キャップ３４２ｄの孔の直径は、例えば、第２規制部３４２ｃの直径と同程度であるか、第２規制部３４２ｃの直径よりもわずかに小さい。これにより、キャップ３４２ｄが第２規制部３４２ｃが設けられた位置に達すると、第２規制部３４２ｃによりキャップ３４２ｄが規制される。第２規制部３４２ｃにより、キャップ３４２ｄを第２規制部３４２ｃが設けられた位置にとどめることができる。例えば、障子３０を枠体２０から外して運搬する際などに、当接摺動部材３４が障子本体３１から離れた位置でぐらつき、運搬中に破損することなどを抑制できる。
【００６７】
荷重部３４３は、当接部３４１の左右方向の中央領域３４１ａを挟む左右方向の両端領域３４１ｂから上方に延びるように設けられる。荷重部３４３は、例えば、略角柱状である。この例では、接続部３４２を挟むように、２つの荷重部３４３が設けられている。複数の荷重部３４３は、それぞれ、接続部３４２よりも重量が大きくなるように形成されている。例えば、荷重部３４３の体積は、接続部３４２の体積よりも大きい。
【００６８】
この例では、障子本体３１の下部３１ｂの下枠２０ｂと対向する面に、上下方向に貫通し、荷重部３４３を差し込むことができる孔が設けられている。荷重部３４３は、この孔を上下方向に貫通するように差し込まれる。
【００６９】
この例では、２つの荷重部３４３が設けられているが、荷重部３４３の数は、これに限定されない。例えば、３つ以上の荷重部３４３が設けられてもよい。なお、３つ以上の荷重部３４３が設けられる場合も、接続部３４２の左右方向の両側に少なくとも１つずつ荷重部３４３を設けることが好ましい。
【００７０】
図７は、実施形態に係る建具の一部を拡大して模式的に表す断面図である。  
図７に表したように、使用者が障子３０を摺動させる際には、障子３０に前後方向の力がかかる場合がある。実施形態においては、障子３０に前後方向の力がかかった場合にも、当接摺動部材３４により、障子３０が前後方向に倒れることを抑制できる。
【００７１】
上記のように、荷重部３４３は、障子本体３１の下部３１ｂの下枠２０ｂと対向する面に設けられた孔を上下方向に貫通するように差し込まれている。したがって、障子３０に前後方向の力がかかった際には、図７に表したように、荷重部３４３の上端部と障子本体３１の一部が接触する。これにより、障子３０が前後方向に倒れることを抑制できる。
【００７２】
実施形態において、建具１０は、例えば、浴室と脱衣室との間に枠体２０を設ける工程と、枠体２０に対して、障子３０を摺動可能に取り付ける工程と、を備えた組み立て方法で組み立てることができる。
【００７３】
より具体的には、まず、レール部２３を有する下枠２０ｂを含む枠体２０を浴室と脱衣室との間に設ける。そして、障子本体３１の下部３１ｂに戸車３３及び当接摺動部材３４を取り付けた障子３０を、レール部２３の上に取り付ける。
【００７４】
このような組み立て方法であれば、障子３０の摺動性が低下することを抑制しつつも、当接摺動部材３４をレール部２３の上端部２３ａに当接させた状態で摺動させることができ、レール部２３の上端部２３ａに付着した水垢を除去できる建具１０を、容易に組み立てることができる。
【００７５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、建具１０及び障子３０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７６】
１０ 建具、  ２０ 枠体、  ２０ａ 上枠、  ２０ｂ 下枠、  ２０ｃ、２０ｄ 縦枠、  ２１ 開口部、  ２２基部、  ２３レール部、  ２３ａ 上端部、  ３０ 障子、  ３１ 障子本体、  ３１ａ 上部、  ３１ｂ 下部、  ３２ 操作部、  ３３ 戸車、  ３４ 当接摺動部材、  ２３１ 上延部、  ２３１ａ 上端部、  ２３２ 後延部、  ２３２ａ 上端部、  ３３１ 軸部、  ３３２ 車輪部、  ３３３ 溝部、  ３４１ 当接部、  ３４１ａ 中央領域、  ３４１ｂ 両端領域、  ３４２ 接続部、  ３４２ａ 柱部、  ３４２ｂ 第１規制部、  ３４２ｃ 第２規制部、  ３４２ｄ キャップ、  ３４３ 荷重部、  ３４４ 溝部、  ３４４ａ 中央部、  ３４４ｂ 両端部、  ３４５ 傾斜面、  ３４６ 係合部、  ＣＬ 中央、  Ｌ１、Ｌ２ 長さ、  Ｒ 領域
【図１】
2019218690.tif 000003
【図２】
2019218690.tif 000004
【図３】
2019218690.tif 000005
【図４】
2019218690.tif 000006
【図５】
2019218690.tif 000007
【図６】
2019218690.tif 000008
【図７】
2019218690.tif 000009